(57)【要約】【課題】  簡単な操作で錠剤をスムーズ且つ連続的に取り出すことを可能とした錠剤定量取出容器を創出することを課題とする。【解決手段】  中央に支柱１５を備えた容器本体１０と、支柱１５を外挿する案内孔２４を有すると共に錠剤を収容した状態で容器本体１０に対し昇降自在に設けられた移動筒体２０と、支柱１５の上端に設けられる受け部３０と、錠剤が通過可能な取り出し孔４３を有すると共に移動筒体２０の開口端２１に嵌合する中蓋４０と、容器本体１０を被冠するキャップ５０と、を有する錠剤定量取出容器であり、移動筒体２０を上昇させた状態にすると、移動筒体２０内に収容されている一部の錠剤が受け部３０に移動させられ、この状態から移動筒体２０を下降させた状態にすると、錠剤が受け部３０から中蓋４０に設けられた取り出し孔４３を通過して中蓋４０の外部に取り出される構成とする。【選択図】  図５
2019026337.tif 000002
【特許請求の範囲】
【請求項１】
中央に支柱（１５）を備えた容器本体（１０）と、前記支柱（１５）を外挿する案内孔（２４）を有すると共に錠剤（Ｐ）を収容した状態で容器本体（１０）に対し昇降自在に設けられた移動筒体（２０）と、前記支柱（１５）の上端に設けられる受け部（３０）と、前記錠剤（Ｐ）が通過可能な取り出し孔（４３）を有すると共に前記移動筒体（２０）の開口端（２１）に嵌合する中蓋（４０）と、前記容器本体（１０）を被冠するキャップ（５０）と、を有する錠剤定量取出容器であって、
前記移動筒体（２０）を上昇させた状態にすると、前記移動筒体（２０）内に収容されている一部の錠剤（Ｐ）が前記受け部（３０）に移動させられ、この状態から前記移動筒体（２０）を下降させた状態にすると、前記錠剤が前記受け部（３０）から前記中蓋（４０）に設けられた取り出し孔（４３）を通過して前記中蓋（４０）の外部に取り出されることを特徴とする錠剤定量取出容器。
【請求項２】
取り出し孔（４３）は、その内縁に弾性変形可能に突出形成された複数の弾性片（４４）と、前記弾性片（４４）の先端に錠剤を支持する支持部（４５）が設けられている請求項１記載の錠剤定量取出容器。
【請求項３】
取り出し孔（４３）の上部内縁に壁部（４７）を設けると共に、該壁部（４７）に取り出し孔（４３）を通過した錠剤を中蓋（４０）の外縁部（４１）側に移動させる傾斜部（４７）が設けられている請求項１記載の錠剤定量取出容器。
【請求項４】
受け部（３０）に筒形状の収容部（３５）が設けられている請求項１記載の錠剤定量取出容器。
【請求項５】
移動筒体（２０）の底壁（２３）が反転形可能に形成されている請求項１乃至４のいずれか一項に記載の錠剤定量取出容器。
【請求項６】
中蓋（４０）に、縦断面凹状に形成された載置部（４２）が設けられている請求項１乃至５のいずれか一項に記載の錠剤定量取出容器。
【発明の詳細な説明】
【技術分野】
【０００１】
本発明は、定量分の錠剤を取り出すための錠剤定量取出容器に関するものである。
【背景技術】
【０００２】
菓子やサプリメント等は、取り扱いや数量の管理を容易にするため錠剤に加工されることが多く、錠剤は一般に錠剤容器内に多数収容されており、使用時に所定量を錠剤容器から取り出す必要がある。錠剤を収容した容器本体の開口部を単に閉鎖する蓋を備えた一般的な錠剤容器では、開口部から蓋を外し、容器本体を傾けるなどして錠剤を手のひら上に吐出させるが、これでは所望数を超えて余分な錠剤が容器本体から吐出される場合がある。必要以上に吐出された錠剤は、容器本体内に戻されるが、一旦、手に触れた錠剤を再び容器本体内へ戻すのは、衛生管理や品質保持の観点からは好ましくはなかった。
【０００３】
錠剤を定量分だけ取り出す先行技術として、例えば特許文献１に記載の発明は、中栓部材５の天壁部５２の挿通孔５４に対しスライド部材６が内嵌されており、本体部６２内に錠剤Ｋの１錠分に対応するポケット部６２２が２つ設定され、各ポケット部６２２が外部に臨む引き出し位置毎に位置決め用の凸条６２３，６２３，…が本体部６２の外周に突出形成されている。先端壁部６３を摘んで、必要数の錠剤の数に対応するポケット部６２２が外部に臨むようにスライド部材６を引き出し、先端壁部６３が下になるように錠剤容器２を上下逆にすると、錠剤Ｋが容器本体３からポケット部６２２に入り込み、取り出し開口部６１から転がり出るというものである。
【先行技術文献】
【特許文献】
【０００４】
【特許文献１】特表２０１４−５０４２号公報
【発明の概要】
【発明が解決しようとする課題】
【０００５】
しかし、特許文献１に記載の発明では、錠剤を取り出す際には、まず錠剤をスライド部材６の本体部６２に設けられたポケット部６２２内に移動させる必要があるところ、スライド部材６は、取り出し用開口６１が側方に開口されたＵの字を横向きにしたような凹溝状（樋状）の横断面形状を有する構成である。このため、スライド部材６を引き出した状態で引き出したスライド部材６の先端壁部６３が斜め下になるように錠剤容器２の全体を傾けるか、スライド部材６の先端壁部６３が真下になるように錠剤容器２を上下反転させるという事前の操作が必要であり、錠剤をスムーズに取り出すことが困難であるという問題がある。
【０００６】
また特許文献１に記載の発明では、事前の操作が上手く行われなかった場合には操作をやり直す必要があることから、錠剤の連続的な取り出しには向かないという問題もある。
【０００７】
本発明は、上記した従来技術における問題点を解消すべく、簡単な操作で錠剤をスムーズ且つ連続的に取り出すことを可能とした錠剤定量取出容器を創出することを課題とする。
【課題を解決するための手段】
【０００８】
上記課題を解決するための手段のうち、本発明の主たる手段は、
中央に支柱を備えた容器本体と、支柱を外挿する案内孔を有すると共に錠剤を収容した状態で容器本体に対し昇降自在に設けられた移動筒体と、支柱の上端に設けられる受け部と、錠剤が通過可能な取り出し孔を有すると共に移動筒体の開口端に嵌合する中蓋と、容器本体を被冠するキャップと、を有する錠剤定量取出容器であって、
移動筒体を上昇させた状態にすると、移動筒体内に収容されている一部の錠剤が受け部に移動させられ、この状態から移動筒体を下降させた状態にすると、錠剤が受け部から中蓋に設けられた取り出し孔を通過して中蓋の外部に取り出される、と云うものである。
【０００９】
上記本発明の主たる手段では、錠剤を収容した移動筒体を上下に昇降移動させるだけで、錠剤を取り出すことを達成し得る。
【００１０】
また本発明の他の構成は、上記本発明の主たる手段に、取り出し孔は、その内縁に弾性変形可能に突出形成された複数の弾性片と、弾性片の先端に錠剤を支持する支持部が設けられている、との手段を加えたものである。
【００１１】
上記手段では、移動筒体から上部の中蓋への錠剤の取り出しと、取り出された錠剤の支持を達成し得るため、昇降操作を繰り返す度に次々と取り出される錠剤を中蓋の載置部に集めることを達成し得る。
【００１２】
また本発明の他の構成は、上記本発明の主たる手段に、取り出し孔の上部内縁に壁部を設けると共に、この壁部に取り出し孔を通過した錠剤を中蓋の外縁部側に移動させる傾斜部が設けられている、との手段を加えたものである。
【００１３】
上記手段では、中蓋上の取り出される錠剤を一方向に押し出すことにより、先に取り出した錠剤が次の取り出し操作の邪魔になることが防止されるため、昇降操作を繰り返すことによる取り出し作をスムーズ且つ確実に行えることを達成し得る。
【００１４】
また本発明の他の構成は、上記本発明の主たる手段に、受け部に筒形状の計量部が設けられている、との手段を加えたものである。
【００１５】
上記手段では、１粒毎の取り出しの他に、複数個纏めての取り出しを達成し得る。
【００１６】
また本発明の他の構成は、上記本発明の主たる手段に、移動筒体の底壁が反転変形可能に形成されている、との手段を加えたものである。
【００１７】
上記手段では、残り少なくなった状態の取り出しを容易とすることを達成し得る。
【発明の効果】
【００１８】
本発明では、移動筒体を昇降させるという簡単な操作を一往復行うだけで、内部に収容されている錠剤をスムーズに取り出すことができる。
またこのような操作を繰り返すことにより、所望数の錠剤を連続的に取り出すことができる。
【図面の簡単な説明】
【００１９】
【図１】本発明の第１実施例である錠剤定量取出容器を示す半断面図である。
【図２】Ａは蓋体を外した状態を示す錠剤定量取出容器の断面図、ＢはＡの平面図である。
【図３】第１実施例において、移動筒体を上昇させて錠剤を受け部に移動させる第１の操作を示す錠剤定量取出容器の断面図である。
【図４】図３の状態から移動筒体を下降させて錠剤を受け部から中蓋に移動させる第２の操作を示す錠剤定量取出容器の断面図である。
【図５】図４の状態から再度移動筒体を上昇させる第１の操作を示す錠剤定量取出容器の断面図である。
【図６】図５の状態から再度移動筒体を下降させる第２の操作を示す錠剤定量取出容器の断面図である。
【図７】第１実施例において残量減少時における第３の操作を示す錠剤定量取出容器の断面図である。
【図８】本発明の第２実施例である錠剤定量取出容器を分解して示す半断面図である。
【図９】図８のＩＸ−ＩＸ線における錠剤定量取出容器の平面図である。
【図１０】第２実施例において、移動筒体を上昇させて錠剤を受け部に移動させる第１の操作を示す錠剤定量取出容器の断面図である。
【図１１】図１０の状態から移動筒体を下降させて錠剤を受け部から中蓋に移動させる第２の操作を示す錠剤定量取出容器の断面図である。
【図１２】第２実施例において残量減少時における第３の操作を示す錠剤定量取出容器の断面図である。
【図１３】本発明の第３実施例である錠剤定量取出容器を分解して示す半断面図である。
【図１４】第３実施例において、移動筒体を上昇させて錠剤を受け部に移動させる第１の操作を示す錠剤定量取出容器の断面図である。
【図１５】図１４の状態から移動筒体を下降させた第２の操作を示す錠剤定量取出容器の断面図である。
【図１６】図１５の状態から容器本体を傾けて錠剤を取り出す様子を示す錠剤定量取出容器の断面図である。
【図１７】第３実施例において、残量減少時における第３の操作を示す錠剤定量取出容器の断面図である。
【発明を実施するための形態】
【００２０】
以下、本発明の実施の形態について図面を参照しつつ説明する。
図１は本発明の第１実施例である錠剤定量取出容器を示す半断面図、図２Ａは蓋体を外した状態を示す錠剤定量取出容器の断面図、ＢはＡの平面図である。
本発明の錠剤定量取出容器１は、例えば菓子やサプリメント等などの錠剤Ｐを収容し、使用時には所定量の錠剤を容器から取り出せるようにしたものであり、主として容器本体１０、移動筒体２０、受け部３０、中蓋４０及びキャップ５０を有して構成されている。
【００２１】
容器本体１０は、外壁部１２の内側に収容空間１３が形成された薄型且つ軽量化された合成樹脂製の有底筒状の容器であり、外壁部１２上部の口筒部１１の外周面には雄ネジ部１７が形成されている。収容空間１３内の底部１４中央には、円筒状からなる支柱１５が垂設されており、その上端には受け部３０が固定されている。また口筒部１１の上端には断面凸状から成る上縁部１６が周設されている。
【００２２】
移動筒体２０は合成樹脂製からなる有底筒状の部材であり、この内部には多数の錠剤Ｐが充填される。移動筒体２０の底壁２３の中央には内部に支柱１５を外挿することが可能な案内孔２４が形成されている。また移動筒体２０の底壁２３は反転変形可能に構成されており（図７参照）、案内孔２４の内縁には環状係止部２５が設けられている。そして、移動筒体２０は案内孔２４内に支柱１５が挿通された状態で昇降移動することが可能となっている。
【００２３】
受け部３０は合成樹脂製からなる有頂筒状の部材であり、上端には断面凹状に形成されて成る受け皿３１が形成され、受け皿３１の外縁は外側方向の環状に突出するフランジ３２となっている。受け皿３１の下には筒状の嵌合部３３が連設されており、支柱１５の上端に嵌合可能となっている。また受け皿３１の下面には、図示下方に突出するアンダーカット状の係止爪３４が形成されており、この係止爪３４が支柱１５の上端に形成されている係止孔１５ａに係止することにより、受け皿３１は支柱１５の上端に分離不能な状態で固定されている。
【００２４】
中蓋４０は合成樹脂から成る浅い皿状の部材であり、外周側には移動筒体２０の開口端２１に嵌合可能なフランジ状の外縁部４１が周設され、この外縁部４１の内側には断面凹状から成る載置部４２が形成されている。載置部４２の中央には取り出し孔４３が穿設され、取り出し孔４３の内縁には、この内縁に沿って周方向に延びると共に主に厚み方向に弾性変形可能な複数（本実施例では３本）の弾性片４４が突設され、この弾性片４４の先端には取り出し孔４３の中心方向に突出する支持部４５が形成されている。取り出し孔４３の内縁の内径寸法は錠剤Ｐの平均粒径よりも大きく設定され、且つ支持部４５同士を周方向に結んだ時に形成される円（仮想円）の直径は、錠剤Ｐの平均粒径よりも小さい寸法に設定されている。そして、この取り出し孔４３は弾性片４４が弾性変形することで錠剤Ｐの通過を可能とし、また複数の支持部４５で支持することによりに中蓋４０の上に一粒の錠剤Ｐを載置することが可能となっている。
【００２５】
キャップ５０は合成樹脂から成る有頂短筒状の部材であり、側壁５２の内周面には雌ネジ部５４が形成されており、この雌ネジ部５４を雄ネジ１７に螺着させることにより、キャップ５０で容器本体１０の口筒部１１を被嵌することが可能となっている。
尚、キャップ５０の頂壁５１下面にはインナーリング５３が垂下設されている。そして、インナーリング５３の下端と容器本体１０側の口筒部１１の上縁部１６との間にはゴムなどの弾性体から成る環状のパッキン６０が配設されており、錠剤定量取出容器１の密封度の向上を図っている。
尚、キャップ５０を外した状態では、錠剤Ｐを収容した移動筒体２０は下降した初期位置にある。この初期位置では、支柱１５が移動筒体２０の内部に入り込んでおり、複数の錠剤Ｐが支柱１５に接触した状態である一定のバランスに保持されている。
【００２６】
次に、第１実施例に示す錠剤定量取出容器１の操作方法について説明する。
図３乃至図７は第１実施例の錠剤定量取出容器の操作手順を説明する図であり、図３は移動筒体を上昇させて錠剤を受け部に移動させる第１の操作を示す錠剤定量取出容器の断面図、図４は図３の状態から移動筒体を下降させて錠剤を受け部から中蓋に移動させる第２の操作を示す錠剤定量取出容器の断面図、図５は図４の状態から再度移動筒体を上昇させた第１の操作を示す錠剤定量取出容器の断面図、図６は図５の状態から再度移動筒体を下降させた第２の操作を示す錠剤定量取出容器の断面図、図７は残量減少時における第３の操作を示す錠剤定量取出容器の断面図である。
【００２７】
図３に示す第１の操作のように、まず多数の錠剤Ｐが入った移動筒体２０を上方に持ち上げる。この際、一方の手で容器本体１０の外壁部１２を抑えつつ他方の手で移動筒体２０の側壁２２の上端部近傍を把持して行うと、移動筒体２０をスムーズに持ち上げることが可能である。移動筒体２０を上昇すると、支柱１５及び受け部３０が相対的に移動筒体２０内を下方に移動するため、移動筒体２０内部では錠剤Ｐ間のバランスが崩れ、いずれか一粒の錠剤Ｐ１が受け部３０の上端に設けられた凹状の受け皿３１に移動して載置される。
【００２８】
続いて、図４に示すように移動筒体２０を下降させる第２の操作を行うと、移動筒体２０の下降に伴い、中蓋４０の取り出し孔４３の内縁に形成されている弾性片４４が受け部３０側に載置されている錠剤Ｐ１に接触する。さらに移動筒体２０を下降させると、弾性片４４が基端部を支点として先端（支持部４５）側が上方に弾性変形して取り出し孔４３の大きさが拡大するため、錠剤Ｐ１は下側から上方に向かって取り出し孔４３を通過する。錠剤Ｐ１が取り出し孔４３を通り抜けると、弾性片４４は元の形状に復元するため、取り出し孔４３は変形前の大きさに戻る。そして、錠剤Ｐ１は軽量であるため、図４に実線で示すように、錠剤Ｐ１を取り出し孔４３内に突出する弾性片４４の支持部４５で支持された状態で外部に取り出すことができる。よって、１粒の錠剤Ｐ１を欲する使用者は、この錠剤Ｐを取り出すことにより食することができる。
尚、移動筒体２０を下降させると、支柱１５が移動筒体２０の内部に再度入り込んで複数の錠剤Ｐに接触し、移動筒体２０内の錠剤Ｐ間はある一定のバランスに保持される。
このように、本発明では、移動筒体２０を上昇させる第１の操作（上昇操作）と下降させる第２の操作（下降操作）を一往復行うだけで、１粒の錠剤Ｐを取り出すことが可能となっている。
【００２９】
２粒以上の錠剤Ｐを欲する場合には続けて以下の操作を行う必要がある。すなわち、図５に示すように、図４に示す状態から再度移動筒体２０を上方に持ち上げる上記第１の操作と同様の操作を行う。この操作では、支持部４５に支持されている錠剤Ｐ１は移動筒体２０と共に上方に移動する。同時に、上記第１の操作同様に、移動筒体２０内部では錠剤Ｐ間のバランスが崩れ、いずれか一粒の錠剤Ｐ２が受け部３０の上端に設けられた凹状の受け皿３１の上に移動して載置される。
【００３０】
続いて、図６に示すように移動筒体２０を下降させる上記第２の操作と同様の操作を行う。すると、上記第２の操作同様に、錠剤Ｐ２が取り出し孔４３を下側から上方に向かって通過する。この際、通過する錠剤Ｐ２が支持部４５に支持されている錠剤Ｐ１を押しのけるため、錠剤Ｐ１を側方の外縁部４１方向に転動させて中蓋４０に設けられた断面凹状の載置部４２に至らせることができる。そして、取り出し孔４３を通過した新たな錠剤Ｐ２が中央の支持部４５によって支持されることになる。すなわち、第１の操作の次に第２の操作を行う操作を２回（２往復）行うことにより、中蓋４０の上に２つの錠剤Ｐ１，錠剤Ｐ２を取り出すことができる。
そして、上記の操作を繰り返すことにより、次々と新たな錠剤Ｐを中蓋４０の上に連続的に取り出すことができる。
【００３１】
また移動筒体２０に収容されている錠剤Ｐの残数が少なくなると、移動筒体２０を下方に移動しただけでは錠剤Ｐを受け部３０の受け皿３１に装置させることができなくなるが、そのような場合には図７に示すように移動筒体２０を上方に最大限持ち上げる第３の操作を行うと良い。第３の操作では、移動筒体２０の底壁２３の中央に形成されている案内孔２４の内縁である環状係止部２５が、受け部３０のフランジ３２と分離不能に係合し、移動筒体２０の底壁２３が凹状に反転するため、錠剤Ｐを受け部３０の受け皿３１の上に容易に載置させることが可能となる。その後、上記第１操及び第２の操作を行うことにより、最後の１粒まで錠剤Ｐを取り出すことができる。
【００３２】
図８は本発明の第２実施例である錠剤定量取出容器を分解して示す半断面図、図９は図８のＩＸ−ＩＸ線における錠剤定量取出容器の平面図、図１０は第２実施例において、移動筒体を上昇させて錠剤を受け部に移動させる第１の操作を示す錠剤定量取出容器の断面図、図１１は図１０の状態から移動筒体を下降させて錠剤を受け部から中蓋に移動させる第２の操作を示す錠剤定量取出容器の断面図、図１２は残量減少時における第３の操作を示す錠剤定量取出容器の断面図である。
第２実施例に示す錠剤定量取出容器１が上記第１実施例と異なる点は、中蓋４０の構成にあり、その他の構成は上記第１実施例と同様である。このため。以下の説明においては異なる点を中心に同一部材について同一の符号を付して説明する。
【００３３】
図８に示すように、中蓋４０はフランジ状の外縁部４１に連続する断面凹状から成る載置部４２を有し、その中央には取り出し孔４３が穿設されている。図８及び図９に示すように、取り出し孔４３の内縁には段差部４６を介して半円筒状の壁部４７が垂設され、この壁部４７の凹面側には、薄板状で且つ略三角形状を有して取り出し孔４３上に突出する形態から成る傾斜部４８が形成されている。また中蓋４０の下面には、取り出し孔４３に連通する短筒部４９が垂下設されている。この短筒部４９には受け部３０が挿入可能とされ、また挿入後においては受け部３０のフランジ３２が段差部４６の下面に当接することが可能となっている。尚、取り出し孔４３の内縁の内径、壁部４７の凹面及び短筒部４９の径寸法は、いずれも錠剤Ｐの平均粒径よりも大きな寸法で形成されている。
【００３４】
次に、第２実施例に示す錠剤定量取出容器１の操作方法について説明する。
まず、キャップ５０を開けた後、第１実施例の場合同様に、移動筒体２０を持ち上げて上昇させる（第１の操作）。図１０に示すように、移動筒体２０が上昇すると、第１実施例同様に移動筒体２０内部での錠剤Ｐ間のバランスが崩れるため、いずれか一粒の錠剤Ｐ１が受け部３０の上端に設けられた凹状の受け皿３１に移動する。
【００３５】
続いて、図１１に示すように移動筒体２０を下降させる操作を行う（第２の操作）と、錠剤Ｐ１が受け皿３１と共に短筒部４９に挿入される。この際、段差部４６の下面がフランジ３２に当接するため、移動筒体２０のこれ以上の下降は防止される。同時に、図１１中に破線及び実践で示すように、取り出し孔４３上に突出している傾斜部４８が錠剤Ｐ１に当接して横方向に押し出すため、錠剤Ｐ１を受け皿３１の上から図中に示す矢印の方向の中蓋４０の載置部４２に移動させることができる。よって、１粒の錠剤Ｐ１を欲する使用者は、この錠剤Ｐを取り出すことにより食することができる。このように第２の実施例においても、移動筒体２０を上昇させる第１の操作（上昇操作）と下降させる第２の操作（下降操作）を一往復行うだけで１粒の錠剤Ｐを取り出すことが可能である。
また２粒目の錠剤Ｐを欲する場合には、さらに昇降操作を一往復、すなわち図１０に示す第１操作に続けて図１１に示す第２の操作を行えばよく、さらに多くの錠剤Ｐを欲する場合にはこれらの操作を繰り返すことにより、所望数の錠剤Ｐを連続的に取り出すことができる。
【００３６】
また移動筒体２０に収容されている錠剤Ｐの残数が少なくなった場合には、図１２に示すように、上記第１実施例における第３の操作を行うと良い。すなわち、移動筒体２０を上方に最大限持ち上げて底壁２３を反転させて錠剤Ｐを受け部３０の上に載置した後、第１操作に続けて第２の操作を行うことにより、最後の１粒まで錠剤Ｐを取り出すことができる。
【００３７】
図１３は本発明の第３実施例である錠剤定量取出容器を分解して示す半断面図、図１４は第３実施例において、移動筒体を上昇させて錠剤を受け部に移動させる第１の操作を示す錠剤定量取出容器の断面図、図１５は図１４の状態から移動筒体を下降させる第２の操作を示す錠剤定量取出容器の断面図、図１６は図１５の状態から容器本体を傾けて錠剤を取り出す様子を示す錠剤定量取出容器の断面図、図１７は第３実施例において、残量減少時における第３の操作を示す錠剤定量取出容器の断面図である。
【００３８】
第３実施例に示す錠剤定量取出容器１が上記第１実施例又は第２実施例と異なる点は、中蓋４０と受け部３０の構成にあり、その他の構成は上記第１実施例及び第２実施例と同様である。このため。以下の説明においては異なる点を中心に同一部材について同一の符号を付して説明する。
【００３９】
図１３に示すように、受け部３０は、嵌合部３３の上部に、開口する上端に環状係止片３６を備えた有底筒状の収納部３５を有する部材であり、底面に設けられた係止爪３４を支柱１５の上端に形成された係止孔１５ａに係合させることにより固定されている。
他方、中蓋４０はフランジ状の外縁部４１に連続する断面凹状から成る載置部４２を有し、その中央には取り出し孔４３が穿設され、また中蓋４０の下面で且つ取り出し孔４３の内縁には環部凸部４３ａが形成されている。
【００４０】
次に、第３実施例に示す錠剤定量取出容器１の操作方法について説明する。
まず、キャップ５０を開けた後、第１実施例の場合同様に、移動筒体２０を持ち上げて上昇させる（第１の操作）。すると、図１４に示すように第１及び第２実施例同様に移動筒体２０内部での錠剤Ｐ間のバランスが崩れるため、本実施例では複数の錠剤Ｐが受け部３０の上端に設けられた収容部３５で集積される。
【００４１】
続いて、図１５に示すように移動筒体２０を下降させる（第２の操作）。すると、収容部３５の上端（環状係止片３６）が取り出し孔４３に入り込んで取り出し孔４３を塞ぐと共に収容部３５内への錠剤Ｐの移動が制限され、収容部３５内の錠剤Ｐの数量（本実施例では３ケ）が確定する。
【００４２】
そして、図１６に示すように図１５の状態から容器本体１０を傾けることにより、収容部３５内の錠剤Ｐを取り出して食することができる。このように、第３実施例においても、移動筒体２０を上昇させる第１の操作（上昇操作）と下降させる第２の操作（下降操作）を一往復行うだけで、錠剤Ｐを取り出すことが可能であり、またこのような昇降操作を繰り返すことにより、複数の錠剤Ｐを連続的に取り出すことも可能である。
尚、操作（第１操作と第２操作）を一往することで取り出せる錠剤Ｐの数量は、錠剤Ｐの大きさ応じて収容部３５の深さ寸法を適宜変更することにより任意に決定することが可能である。このため、収容部３５の深さ寸法を浅くすることにより、１粒ずつ取り出せる錠剤定量取出容器１とすることもできる。
【００４３】
また移動筒体２０に収容されている錠剤Ｐの残数が少なくなった場合には、図１７に示すように、第３の操作として、上記第１実施例及び第２実施例における第３の操作と同様の操作、すなわち移動筒体２０を上方に最大限持ち上げて底壁２３を反転させて収容部３５で錠剤Ｐを集積した後、上記第１操作に続けて第２の操作を行うことにより、最後の１粒まで錠剤Ｐを取り出すことができる。
この際、移動筒体２０側の環状係止部２５が、受け部３０側の環状係止片３６に係合して分離不能となることから、第３の操作を確実に行うことができる。
【００４４】
以上、実施例に沿って本発明の構成とその作用効果について説明したが、本発明の実施の形態は上記実施例に限定されるものではない。
上記実施に形態では、球状の錠剤Ｐを示して説明したが、本発明はこれに限られるものではなく、錠剤Ｐはその他の形状であっても良い。
また上記実施に形態では、容器本体１０が全体として円筒状の場合を示して説明したが、本発明はこれに限られるものではなく、楕円筒状、あるいは角筒状の容器であっても良い。
【産業上の利用可能性】
【００４５】
本発明は、定量分の錠剤を取り出す錠剤定量取出容器の分野における用途展開をさらに広い領域で図ることができる。
【符号の説明】
【００４６】
１    ；  錠剤定量取出容器
１０  ；  容器本体
１１  ；  口筒部
１２  ；  外壁部
１３  ；  収容空間
１４  ；  底部
１５  ；  支柱
１５ａ；  係止孔
１６  ；  上縁部
１７  ；  雄ネジ部
２０  ；  移動筒体
２１  ；  開口端
２２  ；  側壁
２３  ；  底壁
２４  ；  案内孔
２５  ；  環状係止部
３０  ；  受け部
３１  ；  受け皿
３２  ；  フランジ
３３  ；  嵌合部
３４  ；  係止爪
３５  ；  収容部
３６  ；  環状係止片
４０  ；  中蓋
４１  ；  外縁部
４２  ；  載置部
４３  ；  取り出し孔
４３ａ；  環状凸部
４４  ；  弾性片
４５  ；  支持部
４６  ；  段差部
４７  ；  壁部
４８  ；  傾斜部
５０  ；  キャップ
５１  ；  頂壁
５２  ；  側壁
５３  ；  インナーリング
５４  ；  雌ネジ部
６０  ；  パッキン
Ｐ，Ｐ１，Ｐ２  ；  錠剤
【図１】
2019026337.tif 000003
【図２】
2019026337.tif 000004
【図３】
2019026337.tif 000005
【図４】
2019026337.tif 000006
【図５】
2019026337.tif 000007
【図６】
2019026337.tif 000008
【図７】
2019026337.tif 000009
【図８】
2019026337.tif 000010
【図９】
2019026337.tif 000011
【図１０】
2019026337.tif 000012
【図１１】
2019026337.tif 000013
【図１２】
2019026337.tif 000014
【図１３】
2019026337.tif 000015
【図１４】
2019026337.tif 000016
【図１５】
2019026337.tif 000017
【図１６】
2019026337.tif 000018
【図１７】
2019026337.tif 000019